(57)【要約】【課題】運搬中等において、予想外の過度の衝撃が印加されて、抑えレバーが外れ、ディスク再生手段が回動軸側を支点に上方に傾き、ターンテーブルが他物に当接し、再生性能劣化につながる恐れがあった。【解決手段】ディスク再生手段と前記装置本体の側板とのいずれか一方または双方に該ディスク再生手段の上昇を規制する上昇規制手段を備えたもので、再生手段は規定以上に上昇変位することがなく、再生手段のターンテーブルの性能劣化を確実に防止することができる。【選択図】図８
2008034059.tif 000002
【特許請求の範囲】
【請求項１】
装置本体内に所定枚数のディスクを収納保持し、選択されたディスクと該選択されたディスクより上にあるディスクを上方へ、前記選択されたディスクより下にあるディスクを下方に移動させて上下に二分割するディスク保持手段と、前記装置本体に一端側を回動軸で回動可能に支持され、未再生時は前記装置本体の側板と平行する退避位置に退避し、再生時は前記選択されたディスクと下方に移動させたディスクとの間に進入して該選択されたディスクをターンテーブルに載置して再生するディスク再生手段とを有するディスク装置において、前記ディスク再生手段と前記装置本体の側板とのいずれか一方または双方に該ディスク再生手段の上昇を規制する上昇規制手段を備えたことを特徴とするディスク装置。
【請求項２】
上昇規制手段は、装置本体の側板に一体に設けた突起であることを特徴とする請求項１記載のディスク装置。
【請求項３】
上昇規制部材は、ディスク再生手段に一体に設けた突起と、前記突起が挿通するように装置本体の側板に設けた上下方向の長穴とからなることを特徴とする請求項１記載のディスク装置。
【請求項４】
上昇規制部材は、上下方向の長穴を有し、この長穴に通したビスで装置本体の側板に取り付けた突起部材と、前記突起部材を下方に付勢するように該突起部材と前記装置本体の側板間に設けた弾性部材とからなることを特徴とする請求項１記載のディスク装置。
【発明の詳細な説明】
【技術分野】
【０００１】
この発明は、ディスク装置に関し、特に装置本体内に所定枚数のディスクを収納保持し、その中から選択したディスクを再生するディスク装置に関するものである。
【背景技術】
【０００２】
この種のディスク装置は、装置本体に複数枚のディスクを収納保持し、選択されたディスクと該選択されたディスクより上にあるディスクを上方へ、選択されたディスクより下にあるディスクを下方に移動させて上下に二分割するディスク保持手段と、装置本体に一端側を回動軸で回動可能に支持され、未再生時は装置本体の側板と平行する退避位置に退避し、再生時は前記選択されたディスクと下方に移動させたディスクとの間に進入して該選択されたディスクをターンテーブルに載置して再生するディスク再生手段とを有する。
そして、ディスク再生手段は、退避位置において、装置本体の後板内面に沿って移動するスライドプレートの抑えレバーによって先端部が押えられている。しかし、例えば運搬中等において、ディスク装置に予想外の過度の衝撃が印加された場合、ディスク再生手段を抑えている抑えレバーが外れることがある。この時、ディスク再生手段は回動軸側を支点に上方に傾き、ターンテーブルが天板に設けられた機構部材（ディスクチェンジ駆動機構等）に当接し、ターンテーブルの高さ及び振れに変化が発生する可能性がある。
従来は、特許文献１に示されるように、ディスクをモータで駆動する方式のディスク装置において、外部から衝撃が印加されてもディスク表面の印刷の損傷を防止するものがあった。
【０００３】
【特許文献１】特許第３０４７７８６号公報（００６８）、（００６９）、図１５、図１６（Ａ），（Ｂ）参照
【発明の開示】
【発明が解決しようとする課題】
【０００４】
従来のディスク装置は以上のように構成されているので、ディスク再生手段を退避位置に退避させた状態において、予想外の過度の衝撃が印加されて抑えレバーが外れた場合、ディスク再生手段は回動軸側を支点に上方に傾き、ターンテーブルの高さ及び振れに変化が発生する。このような場合、ディスク装置がＣＤ再生装置であれば、ターンテーブルの高さ・振れの僅かな変化は性能には影響ないが、ディスク装置がＤＶＤ再生装置であると、ディスクとピックアップの相対角度を装置毎に調整して製品化しており、ターンテーブルの僅かな変化でも、再生性能劣化につながる恐れがあるという課題があった。また、特許文献１に記載されたものは、外部からの衝撃に対してディスクを保護するものであるが、ディスク再生手段に設けられたターンテーブルの損傷を防止するものではない。
【０００５】
この発明は上記のような課題を解消するためになされたもので、ディスク装置に過度の衝撃が印加されたときにも、ターンテーブルに再生性能劣化につながるような負荷を与えないようにすることを目的とする。
【課題を解決するための手段】
【０００６】
この発明に係るディスク装置は、装置本体内に所定枚数のディスクを収納保持し、選択されたディスクと該選択されたディスクより上にあるディスクＤを上方へ、選択されたディスクより下にあるディスクを下方に移動させて上下に二分割するディスク保持手段と、装置本体に一端側を回動軸で回動可能に支持され、未再生時は装置本体の側板と平行する退避位置に退避し、再生時は前記選択されたディスクと下方に移動させたディスクとの間に進入して該選択されたディスクをターンテーブルに載置して再生するディスク再生手段とを有するディスク装置において、ディスク再生手段と装置本体の側板とのいずれか一方または双方に該ディスク再生手段の上昇を規制する上昇規制手段を備えたものである。
【発明の効果】
【０００７】
この発明によれば、ディスク再生手段と装置本体の側板とのいずれか一方または双方に該ディスク再生手段の上昇を規制する上昇規制手段を備えたので、ディスク装置に過度の衝撃が印加され、ディスク再生手段が回動軸側を支点に上方へ傾いても、その傾きが上昇規制部材で規制され、ターンテーブルが天板に設けられた機構部材に当接することを確実に防止することができる。
【発明を実施するための最良の形態】
【０００８】
以下、この発明の実施の形態の一形態を図を参照して説明する。
実施の形態１．
先ず、実施の形態１の構成の概要を図面について説明する。ディスク装置１は、底板１１ａ、左右の側板１１ｂ，１１ｃ、前板１１ｄ、後板１１ｅとからなる装置本体１１と、この装置本体１１の上面を覆う天板１７とで構成されている。この装置本体内には、ディスクＤを再生するディスク再生手段２、ディスクＤを装置本体内に出し入れするディスク搬送手段３、複数枚のディスクＤを収納保持するディスク保持手段５を備えている。
再生手段２は、一端側を回動軸１２によって底板１１ａに回動自在に軸支した回動ベース８と、この回動ベース８上にオイルダンパ９ａ、９ｂ、９ｃを介して保持された再生ベース７とを有し、この回動ベース８はリンク機構１３で退避位置側に回動するように付勢されている。
【０００９】
ディスク収納手段５は図２〜図８に示すように、三日月形に形成した複数枚のトレー５１ａ〜５１ｎと、このトレーを所定間隔毎に保持するとともに、上下動させる複数本の柱体５２ａ〜５２ｎと、それぞれの柱体５２ａ〜５２ｎの上端部に取り付けられたギア５２ａ−１〜５２ｎ−１（５２ａ−１のみを図示する）が噛み合うように、天板１７に回転可能に取り付けた大径ギア５８と、各柱体と並設されて装置本体１の底板１１ａと天板１７間に設けられたガイド柱６２ａ〜６２ｎからなる。トレー５１ａ〜５１ｎにはそれぞれ外周の先端部と中央部とに柱体５２ａ〜５２ｎを抱持する抱持部材５３ａ〜５３ｎが設けられている。この抱持部材５３ａ〜５３ｎには柱体５２ａ〜５２ｎを抱持する凹部５３ａ−１〜５３ｎ−１とディスクＤの周縁を受ける受け部材５６とが形成され、凹部５３ａ−１〜５３ｎ−１内には柱体の螺旋溝５４ａ、５４ｂに係合するピン５５ａ−１〜５５ｎ−１が形成されている。また、受け部材５６にはディスクＤの周縁をトレー面に押圧支持するバネ部材５７が設けられている。
【００１０】
柱体５２ａ〜５２ｎはそれぞれ、上下端面の突起部５２ａ−２、５２ｂ−２、５２ｎ−２（天板側の突起部は図示せず）を天板１７の孔（図示せず）と底板１１ａの孔（図示せず）に係合させて回動可能に支持されている。そして、各柱体５２ａ〜５２ｎの上下部にはそれぞれトレー５１ａ〜５１ｎを一定間隔毎に保持できるように螺旋溝５４ａが形成されており、中間部にはディスク再生手段２が出入りするための空間を選択されたディスクＤと下方に移動させたディスクＤとの間に形成するように、柱体の１回転で上下の螺旋溝５４ａを接続する螺旋溝５４ｂが形成されている。また、押圧部材６３は柱体５２ｂおよびガイド柱６２ａ〜６２ｎに貫通支持され、引っ張りバネ６４で上方に付勢され、下方の螺旋溝５４ａに係合するトレーを受けて常時上方へ押圧させて該トレーの螺旋溝５４ｂに対する係合を確実にしている。
【００１１】
再生ベース７には、その先端部の上面にターンテーブル４、このターンテーブル４に載置されたディスクＤの半径方向に移動してディスクＤの信号を読取る光学ピックアップ６が設けられている。また、回動ベース８には第一のロックプレート１４と第二のロックプレート１５が取付けられており、それぞれ先端には再生ベース７をロックするロック爪１４ａ、１４ｂ及び１５ａを有している。
【００１２】
装置本体１１の構成要素である右側板１１ｃは、ディスク再生手段２から引出されるＦPＣ（Ｆｌｅｘｉｂｌｅ  Ｐｒｉｎｔｅｄ  Ｃｉｒｃｕｉｔ）を底板１１ａの裏面に取付けられたサーボ基板に接続するために該底板と別体に構成されている。また、装置本体１１の構成要素である後板１１ｅの内面にはスライドプレート１６が取付けられ、このスライドプレート１６の先端には再生ベース７を回動ベース８上に抑える抑えレバー１６ａが設けられている。また、天板１７には、ディスクチェンジ動作を行う駆動機構１８が取付けられている。装置本体１１の構成要素である底板１１ａには再生位置補正部材１９が取付けられている。
【００１３】
以下、再生動作の概要を図面について説明する。まず、装置本体１１の前板１１ｄに設けたディスク出し入れ口１１ｄ−１から再生を希望するディスクＤをディスク搬送手段３により装置本体１１に挿入すると、このディスクＤは図５に示すように柱体５２ａ〜５２ｎの中間部の螺旋溝５４ｂにピン５５ａ−１〜５５ｎ−１が係合する１つのトレー５１ａに乗る。この状態で大径ギア５８が駆動されると、これに噛み合う小径ギア５２ａ−１を介して、柱体５２ａ〜５２ｎが同期回転する。このため、各柱体５２ａ〜５２ｎの螺旋溝５４ｂに噛み合うピン５５ａ−１〜５５ｎ−１を介してトレー５１ａが天板１７側に上昇し、そのピン５５ａ−１〜５５ｎ−１が上側の螺旋溝５４ａに入ることにより、バネ部材５７が上側のトレー下面で押されて図７の状態から図８の状態となってディスクＤをトレー５１ａに押圧支持する。
【００１４】
一方、装置本体１内に予め収納保持された複数枚のディスクＤの中から希望する１枚を選択するときは、その選択されたディスクＤを支持するトレーのピン５５ａ−１〜５５ｎ−１が上側の螺旋溝５４ａに係合しているときは、その選択されたディスクＤより下にあるディスクＤを支持するトレーのピン５５ａ−１〜５５ｎ−１が下側の螺旋溝５４ａに係合するように送られ、選択されたディスクＤと該選択されたディスクＤより下にあるディスクＤとの間に再生手段２の挿入空間を形成する。また、選択されたディスクＤを支持するトレーのピン５５ａ−１〜５５ｎ−１が下側の螺旋溝５４ａに係合しているときは、その選択されたディスクＤを含めて上側のトレーを各柱体５２ａ〜５２ｎの中間の螺旋溝５４ｂを介して上方に移動させる。この場合、螺旋溝５４ｂは下側の螺旋溝５４ａとは１箇所のみで連通接続されているため、トレーのピン５５ａ−１〜５５ｎ−１が螺旋溝５４ｂに係合した後は、柱体が１回転するまでは他のトレーのピン５５ａ−１〜５５ｎ−１は螺旋溝５４ｂに係合することができない。つまり、柱体の回転中、螺旋溝５４ｂの領域には常に１枚のトレーのみが位置することになる。
上記のようにして、選択されたディスクＤと該選択されたディスクＤより上にあるディスクＤを上方へ、前記選択されたディスクＤより下にあるディスクＤを下方に移動させて上下に二分割する。そして、再生動作に伴い、スライドプレート１６が図２に示すように矢印ａ方向に移動し、抑えレバー１６ａによる再生ベース７の抑えを開放する。
この開放により、回動ベース８が再生ベース７を載せた状態で、回動軸１２を支点に回動し、上下に二分割したディスク間に進入する。そして、回動ベース８の進入側周縁に設けられたガイド溝８ａ（図３）が底板１１ａ上に設けられた再生位置補正部材１９に係合することにより、回動位置及び高さを修正して再生位置の補正が行われる。また、再生ベース７上のターンテーブル４の軸線が選択されたディスクＤの軸線と一致する。
この状態において、選択されたディスクＤをトレーに載せたまま降下させ、ディスクＤを再生ベース７上のターンテーブル４に載置する。そして、トレーのみをさらに降下させてディスクＤから引き離して再生状態とする。この後、第一のロックプレート１４のロック爪１４ａ、１４ｂと第二のロックプレート１５のロック爪１５ａによる再生ベース７のロックが開放される。
このため、再生ベース７はオイルダンパ９ａ、９ｂ、９ｃのみを介して回動ベース８上に支持された状態となり、ターンテーブル４に載置されたディスクＤには回動ベース８からの振動が伝わりにくくなる。この状態において、ターンテーブル４が回転し、光学ピックアップ６がディスクＤの半径方向に移動することにより、何ら問題なく再生が行われる。
再生後、ディスクＤを装置外部へ排出するためには、まず、排出すべきディスクＤをディスクＤ保持手段５に保持させた状態において、回動ベース８を装置本体１１の右側板１１ｃ側に退避させた後、排出すべきディスクＤを載置したトレーを上下動させ、そのディスクＤに作用する位置までディスク搬送手段３を作動させて、ディスクＤを装置本体外部へ排出させる。
【００１５】
上記のような構成のディスク装置あるいは該ディスク装置を搭載したセットを製品出荷する場合、ディスク再生手段２は、退避位置においてロックされている。この再生ベース７のロック方法は、上記のように回動ベース８に配置された第一のロックプレート１４の係合爪１４ａ及び１４ｂと第二のロックプレート１５の係合爪１５ａにより再生ベース７を３方向からはさみ、再生ベース７と回動ベース８を一体化することで行っている。また、回動ベース８が後板１１ｅの内面に設けたスライドプレート１６の抑えレバー１６ａにより抑えられ、Ｚ方向（上方向）の動きが規制されている。また、回動ベース８の回動方向規制はリンク機構１３で行われており、輸送時においては、回動ベース８は可動できないように構成されている。従って、回動ベース８と一体化された再生ベース７も同様に可動不可状態で保持されている。
【００１６】
しかし、ディスク装置１の動作モードにより、再生手段２は退避位置と再生位置を回動動作するように構成されているため、前記スライドプレート１６も回動ベース８を保持する位置と開放する位置への移動が必要となる。また市場からは、ディスク装置１の小サイズ化要求があり、スライドプレート１６による回動ベース８の抑え機構に充分なスペースをとることができない。しかし、スライドプレートの抑えレバー１６ａによる回動ベース８の保持は、車載用ディスク装置として必要な衝撃強度を備えていることが要求されている。
【００１７】
一方、生産・消費のグローバル化が進むに従い、車載用のディスク装置やオーディオ・ナビゲーション機器の輸送形態は種々の業者を介するようになり、その輸送時に外部より予想外の衝撃が印加される恐れがある。そこで、ディスク装置１あるいは該ディスク装置を搭載した車載用オーディオまたはナビゲーション製品の輸送時は、通常ディスク再生手段２を上記のように、ディスクＤの外周より外方の退避位置に退避させている。
このような状態で輸送時にＺ方向の過度の衝撃が加わると、装置自体の撓み等でスライドプレート１６の抑えレバー１６ａによる回動ベース８の抑えが外れる可能性がある。回動ベース８のＺ方向規制が外れると、ディスク再生手段２は回動軸１２のみで支持された状態となり、ターンテーブル４を有する側のＺ方向規制がフリー状態となる。
このようにフリー状態となると、ディスク再生手段は回動軸側を支点に上方に傾き、ターンテーブルがディスクチェンジ動作を行う駆動機構１８に衝突することにより、ターンテーブルの高さ及び振れに変化が発生する。このため、ディスク装置がＤＶＤ再生装置であるときは、ディスクＤとピックアップ６の相対角度を装置毎に調整して製品化しており、ターンテーブル４の僅かな変化でも、再生性能劣化につながる恐れがある。
【００１８】
図８はディスク再生手段２の抑えが外れたとしても、ターンテーブル４に不都合な衝撃が加わらないように構成したこの発明のディスク再生手段の斜視図、図９は図８のディスク装置の上面図、図１０は図９のＣ−Ｃ断面図、図１１は図８のディスク装置から再生ベースを外した状態の図である。
【００１９】
図において、装置本体１１の構成要素である右側板１１ｃには一部を切り起こして突起２０が一体に設けられている。他の構成は前記図１から４図に記載した構成と同じである。
【００２０】
ディスク装置１の輸送状態では、図８で示すようにディスク再生手段２がディスクＤに作用しない退避位置に収納されており、機器への電源供給後は、すぐにディスクＤを装置本体内に挿入できるモードに設定されている。そして、輸送時の衝撃、振動等でディスク再生手段２のモードズレが起こらないように、回動方向はリンク機構１３で振出しとは逆方向に回転付勢され、Ｚ方向に対してもスライドプレート１６の抑えレバー１６ａにより抑えられている。また、再生ベース７の上方には右側板１１ｃに設けられた突起２０が位置している。
【００２１】
図１０において、ターンテーブル４と天板１７に設けられたディスクチェンジ駆動手段１８とのクリアランスをＢ、右側板１１ｃの突起２０と再生ベース７とのクリアランスをＡとし、Ａ＜ＢとなるようにクリアランスＡの位置を設定する。ディスク装置の輸送時に、Ｚ方向に過度の衝撃が印加され、回動ベース８がロック用のスライドプレートの抑えレバー１６ａから外れると、ディスク再生手段２は回動軸１２を一箇所の支点として上方に大きく振れ、再生ベース７が突起２０に当接することとなるため、再生手段２は姿勢を崩すだけで、機械部品に大きなストレスを受ける事無く衝撃を緩和することができると共に、ターンテーブル４に不必要な負荷がかかることを防止することができる。
【００２２】
この時、再生手段２は一点支持状態となっているため、再生ベース７と突起２０とが当接して、それ以上振れることがないから、ディスク再生手段２はバランスを崩すが、結果として印加された衝撃を緩和することができる。また、Ａ＜Ｂと設定しているため、ターンテーブル４への外力印加を防ぐことができる。
一方、このように衝撃によって、一度抑えレバー１６ａが回動ベース８から外れても、ディスク装置が使用された場合、スライドプレート１６が移動（回動ベース８に対して退避）してから再生機構部２は回動動作を行うため、干渉等の問題は無い。再生機構部２は再生位置では再生位置補正部材１９により回動位置及び高さ補正を行うため、再生性能に問題は無い。
【００２３】
図８に示すように、回動動作をするディスク再生手段２の動作の障害とならぬよう、回動方向とは逆側に位置する右側板１１ｃに衝撃緩和用の突起２０を設けたものである。再生手段２は多数の部品が集積しており、退避位置にある再生ベース７の高さバラツキを抑えて右側板１１ｃの突起２０で再生ベース７を保持するためには、各部品の寸法精度を厳しく管理する必要があり、コストアップの要因ともなる。このため、通常状態では再生ベース７と右側板１１ｃの突起２０間に充分クリアランスを確保しておき、衝撃が印加されて大きくディスク再生手段２が振れた時、ターンテーブル４が他の部品に当接する前に右側板１１ｃの突起２０が再生ベース７を受けるように設定する。
【００２４】
以上のように、実施の形態１によれば、ディスク再生手段２を回動退避させる側の右側板１１ｃに一体に突起２０を設けたので、ディスク再生手段２が退避位置からディスク再生位置に移動するのに何らの障害もない。また、過度の衝撃が印加されて再生手段２に対する抑えレバー１６ａが外れても、再生手段２は突起２０が当接して規定以上に変位することがなく、ディスク再生手段２のターンテーブル４の性能劣化を確実に防止することができる。なお、再生手段２の抑えが外れたとしても、再生手段２の動作には問題はなく、ディスク再生手段２が一度再生モードまで動作してから退避位置に戻れば、スライドプレート１６による回動ベース８の抑えは正常に行われる。
【００２５】
実施の形態２．
図１２はこの実施の形態２を示すディスク装置１の一部の斜視図、図１３は図９のＣ−Ｃ断面と同等位置での断面図であり、再生ベース７の側面に突起７ａを設け、側板１１ｃには突起７ａに対応する穴１１ａ−１を設けた構成である。この場合、突起７ａと穴１１ａ−１のクリアランスをＥとし、Ｅ＜Ｂとなるような位置関係の突起７ａと穴１１ａ−１を設定する。
【００２６】
ディスク装置１の輸送時に、Ｚ方向に過度の衝撃が印加され、回動ベース８がロック用のスライドプレート１６の抑えレバー１６ａから外れると、再生手段２は回動軸１２を一箇所の支点として大きく振れる。この時、ディスク再生手段２は一点支持状態となっているため、再生ベース７の突起７ａと側板１１ｃの長穴１１ｃ−１の内面とが当接してディスク再生手段２はバランスを崩し、結果として印加された衝撃を緩和することができる。
【００２７】
また、Ｅ＜Ｂと設定しているため、ターンテーブル４への外力印加を防ぐことができる。この後でディスク装置１が使用された場合、スライドプレート１６が移動（回動ベース８に対して退避）してからディスク再生手段２は回動動作を行うため、干渉等の問題は無い。ディスク再生手段２は再生位置では再生位置補正部材１９により回動位置及び高さ補正を行うため、再生性能に問題は無い。ディスクＤの排出またはディスクチェンジ動作を行う場合、ディスク再生手段２がディスクＤに作用しない退避位置に収納されてからスライドプレート１６が移動し、スライドプレート１６の先端に配置された誘い形状１６ｂにより、回動ベース８を抑えることが可能である。
【００２８】
以上にように、実施の形態２によれば、ディスク再生手段２を回動収納させる側の右側板１１ｃに上下方向に長穴を設け、この長穴に係合する突起をディスク再生手段２に設けたので、過度の衝撃が印加されてロックが外れても、ディスク再生手段２は突起と穴縁との当接で規定以上に変位することがなく、実施の形態１と同様の作用効果が得られる。
【００２９】
実施の形態３．
図１４は実施の形態３を示すディスク装置の斜視図であり、ディスク再生手段２および装置の天板１７は取り外している。図１５は図１４のＥ−Ｅ線に沿う断面図である。この実施の形態３は縦方向の長穴２２ａを有した突起２２を、この長穴２２ａに通したピン２１で右側板１１ｃの内面に取り付け、この突起２１と右側板１１ｃの曲げフック１１ｃ−１との間に、引きバネ２３を設けたもので、突起２２にバネ付勢を加えて緩衝効果を向上させたものである。
【００３０】
突起２２の動作ストロークＦ、実施の形態１と同様ターンテーブル４と天板１７に設けられたディスクチェンジ駆動機構１８とのクリアランスをＢとし、Ｆ＜Ｂとなるように、且つ初期状態で再生ベース７と突起２２が干渉しない位置に該突起を設定する。ディスク装置１に過度の衝撃が印加された時、再生ベース７がスライドプレート１６から外れた後、再生ベース７は回動軸を支点にして大きく振れて突起部材２２に当接し、引きバネ２３を動作ストロークＦ分伸ばす。引きバネ２３がフルストローク伸びた後、ディスク再生手段２は回動軸１２で一点支持状態となっているため、バランスを崩すがディスク再生手段２に伝わる衝撃を緩和させることが可能で、ターンテーブル４と天板１７との当接を回避できる。
【００３１】
以上のように、この実施の形態３によれば、右側板の内面に突起として別部材を取り付け、この突起と右側板との間に引きバネを設けたので、過度の衝撃が印加されて、再生手段が突起を押し上げようとした場合、引きバネを引き伸ばすようになって、緩衝効果を向上させ、ディスク再生手段のターンテーブルと他物との当接を防止し、再生手段の性能劣化を確実に防止することができる。
【図面の簡単な説明】
【００３２】
【図１】この発明に係るディスク装置を斜視図である。
【図２】図１の天板を外した状態図である。
【図３】図２の再生ベースを外した状態図である。
【図４】図１の側板を取り外した右側面図である。
【図５】ディスク保持手段を示す斜視図である。
【図６】ディスクを昇降させる機構部の斜視図である。
【図７】トレーを示す斜視図である。
【図８】実施の形態１を示すディスク装置の一部の斜視図である。
【図９】図８のディスク装置の上面図である。
【図１０】図９のＣ−Ｃ断面図である。
【図１１】図８の再生ベースを外した状態図である。
【図１２】実施の形態２を示すディスク装置の一部の斜視図である。
【図１３】図１２のＤ−Ｄ断面図である。
【図１４】実施の形態３を示すディスク装置の一部の斜視図である。
【図１５】図１４のＥ−Ｅ断面図である。
【符号の説明】
【００３３】
１  ディスク装置、２  ディスク再生手段、３  ディスク搬送手段、４  ターンテーブル、５  ディスク保持手段、６  ピックアップ、７  再生ベース、８  回動ベース、１１ａ  底板、１１ｂ  左側板、１１ｃ  右側板、１１ｄ  前板、１１ｅ  後板、１２  回動軸、１７  天板。
【図１】
2008034059.tif 000003
【図２】
2008034059.tif 000004
【図３】
2008034059.tif 000005
【図４】
2008034059.tif 000006
【図５】
2008034059.tif 000007
【図６】
2008034059.tif 000008
【図７】
2008034059.tif 000009
【図８】
2008034059.tif 000010
【図９】
2008034059.tif 000011
【図１０】
2008034059.tif 000012
【図１１】
2008034059.tif 000013
【図１２】
2008034059.tif 000014
【図１３】
2008034059.tif 000015
【図１４】
2008034059.tif 000016
【図１５】
2008034059.tif 000017